(57)【要約】      （修正有）【課題】くじの結果が「ハズレ」の場合でも、上側ラベルを有効活用することにより次の楽しみを追加し、商品の更なる販促等にもつなげることができるくじ付きラベルを提供する。【解決手段】くじ付きラベル１は、表面に抽選結果が表示された下側ラベル２と、この下側ラベル２の表面に剥離可能に貼着されて前記抽選結果表示２３を隠蔽する上側ラベル３とを備え、前記上側ラベル３の裏面には、複数枚組み合わせることにより一つのまとまった図柄や文字等の全体表示となるパズルの１ピースに相当するパズル部分表示３５が印刷されている。前記パズル部分表示３５が印刷された上側ラベル３は、前記抽選結果表示２３としてハズレ表示２４が印刷された下側ラベル２にのみ貼着されている。【選択図】図３
0003160429.tif 000002
【実用新案登録請求の範囲】
【請求項１】
表面に抽選結果が表示された下側ラベルと、この下側ラベルの表面に剥離可能に貼着されて前記抽選結果表示を隠蔽する上側ラベルとを備えたくじ付きラベルにおいて、
前記上側ラベルの裏面には、複数枚組み合わせることにより一つのまとまった図柄や文字等の全体表示となるパズルの１ピースに相当するパズル部分表示が印刷されているくじ付きラベル。
【請求項２】
請求項１に記載のくじ付きラベルにおいて、
前記パズル部分表示が印刷された上側ラベルは、前記抽選結果表示としてハズレ表示が印刷された下側ラベルにのみ貼着されているくじ付きラベル。
【請求項３】
請求項１又は２に記載のくじ付きラベルにおいて、
前記下側ラベルと前記上側ラベルとは、互いの一辺に沿った部分が他の部分での粘着力よりも強く強粘着されているくじ付きラベル。
【考案の詳細な説明】
【技術分野】
【０００１】
本考案は、当たり・ハズレ等の抽選結果が表示された下側ラベルと、下側ラベルに剥離可能に貼着された上側ラベルとを備えたくじ付きラベルに関する。
【背景技術】
【０００２】
この種のくじ付きラベルとしては、商品の販促キャンペーン等に利用され、キャンペーン商品に貼着されて表面に「当たり」又は「ハズレ」の抽選結果が表示された下側ラベルと、この下側ラベルの表面に剥離可能に貼着されて前記抽選結果表示を隠蔽する上側ラベルとを備えたものが知られている（例えば、特許文献１）。下側ラベルと上側ラベルとの剥離強度は、下側ラベルと商品との剥離強度よりも弱くなるように設定され、下側ラベルを商品側に残し、上側ラベルだけを容易に剥がせるようにしている。そして、前記くじ付きラベルが貼着された商品を購入した消費者は、上側ラベルを下側ラベルから剥がして、下側ラベルに印刷された抽選結果を見てくじを楽しみ、「当たり」であれば所定の特典が得られるようにしている。このようにして、くじ付きラベルによってキャンペーン商品の販促につなげている。
【先行技術文献】
【特許文献】
【０００３】
【特許文献１】特開２００３−２５５８３７号公報
【０００４】
【特許文献２】実用新案登録第３０７２７０５号公報
【考案の概要】
【考案が解決しようとする課題】
【０００５】
しかしながら、従来のくじ付きラベルでは、前記抽選結果が「ハズレ」の場合は、くじの楽しみはこれで終えてしまうため、更なる販促につなげることができない。また、下側ラベルから剥がした後の上側ラベルは、下側ラベルでの抽選結果にかかわらず使い道がないためゴミとして処分され、有効活用がなされていない。
【０００６】
本考案は、以上の事情に鑑みてなされ、くじの結果が「ハズレ」の場合でも、上側ラベルを有効活用することにより次の楽しみを追加し、商品の更なる販促等にもつなげることができるくじ付きラベルを提供することを課題とする。
【課題を解決するための手段】
【０００７】
本考案に係るくじ付きラベルは、
表面に抽選結果が表示された下側ラベルと、この下側ラベルの表面に剥離可能に貼着されて前記抽選結果表示を隠蔽する上側ラベルとを備えたくじ付きラベルにおいて、
前記上側ラベルの裏面には、複数枚組み合わせることにより一つのまとまった図柄や文字等の全体表示となるパズルの１ピースに相当するパズル部分表示が印刷されているものである。
【０００８】
上記構成より、上側ラベルを下側ラベルから剥がして下側ラベルでの抽選結果表示よりくじを楽しむことができる。そして、上側ラベルは、その裏面に印刷されたパズル部分表示がパズルの１ピースとして機能する。従って、下側ラベルの抽選を楽しんだ後も、上側ラベルを複数枚集めて一つのまとまった全体表示となるパズルを完成させる楽しみが追加され、二度楽しむことができる。よって、上側ラベルが有効活用される。
【０００９】
前記パズル部分表示が印刷された上側ラベルは、前記抽選結果表示としてハズレ表示が印刷された下側ラベルにのみ貼着されているのが望ましい。
この場合は、下側ラベルのくじの結果がはずれた場合でも、上側ラベルを集めてパズルを完成させる新しい楽しみを得ることができる。しかも、パズルが完成すれば、何らかの特典が得られるようにダブルチャンスが設けられていれば、くじの結果がはずれであっても上側ラベルを集める意欲を更に増大させることができる。
【００１０】
前記下側ラベルと前記上側ラベルとは、互いの一辺に沿った部分が他の部分での粘着力よりも強く強粘着されているのが望ましい。
この場合は、複数の上側ラベルを集める際に、下側ラベルに連結させたまま下側ラベルを台紙に順に貼り付けることで上側ラベルをパズルの１ピースとして収集し易く、また紛失を防止することができる。
【考案の効果】
【００１１】
以上のように、本考案に係るくじ付きラベルによれば、上側ラベルを下側ラベルから剥がして抽選結果表示によりくじ引きとして楽しんだ後も、上側ラベルを収集してパズルとして楽しむことができ、一枚のくじ付きラベルで二度楽しむことができる。例えば、本くじ付きラベルを商品に付すると、上側ラベルによるパズルを完成させるためには、本くじ付きラベルを付した商品を購入し続けなければならないため、新商品のキャンペーン等としてその販促効果の増大に寄与することができる。さらに、上側ラベルがパズルの１ピースとして有効活用されるので、下側ラベルから剥がし取った上側ラベルがゴミとして処分されることが抑制され、ゴミの削減にもなる。
【００１２】
また、くじの結果がはずれであっても、上側ラベルを集めてパズルを完成させる新しい楽しみを得ることができ、さらには、上側ラベルを集めてパズルを完成させると特典が得られるようにダブルチャンスが設けられていれば、本くじ付きラベルを付した商品の更なる購買意欲が増し、販促効果を益々増大することができる。
【図面の簡単な説明】
【００１３】
【図１】実施の形態によるくじ付きラベルが商品に貼り付けられた状態を示す正面図である。
【図２】実施の形態によるくじ付きラベルの構成を示す断面図である。
【図３】実施の形態によるくじ付きラベルの上側ラベルを捲って下側ラベルから剥がした状態を示す斜視図である。
【図４】下側ラベルの表面における各種の抽選結果表示の例を示す平面図である。
【図５】上側ラベルの表面における各種の第２表示（パズル部分表示、当たり補助表示）の例を示す平面図である。
【図６】定型台紙に上側ラベルを貼って収集した状態を示す平面図である。
【図７】台紙に下側ラベルと共に上側ラベルを貼って収集した状態を示す斜視図である
【考案を実施するための形態】
【００１４】
本考案に係る実施形態のくじ付きラベル１は、例えば、図１に示すように、全体が長方形に形成されて缶入り飲料等の商品Ｓに貼り付けられ、この商品Ｓの販促キャンペーン等に利用される。このくじ付きラベル１の構成としては、図２（ａ）（ｂ）及び図３に示すように、下側ラベル２と上側ラベル３とを備え、キャンペーン商品Ｓ等に貼り付ける前は剥離台紙４（図２（ａ）参照）に貼着保持されている。
【００１５】
下側ラベル２は、ＰＥＴフィルム等からなる下側用ラベル基材２０を有し、この下側用ラベル基材２０の裏面（商品Ｓ等との貼着側の面）に商品Ｓ等に貼り付けるための粘着層２１が形成され、また、下側用ラベル基材２０の表面（上側ラベル３との貼着側の面）に抽選結果表示２３（図３参照）の明示のための抽選結果印刷層２２が形成されている。抽選結果表示２３としては、図４に例示するように、「ハズレ」の文字及び種々の図柄などを含むハズレ表示２４（図４（ａ）参照）か、「当たり」、「１等」、「２等」又は「３等」などの文字及び種々の図柄などを含む当たり表示２５（図４（ｂ）〜（ｅ）参照）により構成される。
【００１６】
上側ラベル３は、ＰＥＴフィルム等からなる上側用ラベル基材３０を有し、この上側用ラベル基材３０の表面（本くじ付きラベル１の表面）に「スピードくじ」等のラベル表示３２（図１参照）の明示のためのラベル印刷層３１が形成され、また、上側用ラベル基材３０の裏面（下側ラベル２との貼着側の面）に第２表示３４（図３参照）の明示のための第２表示用印刷層３３が形成されると共にこの第２表示用印刷層３３上に透明の弱粘着層３８が形成されている。
【００１７】
弱粘着層３８によって上側ラベル３が下側ラベル２の表面側に剥離可能に貼着され、この上側ラベル３によって下側ラベル２の表面の抽選結果表示２３が隠蔽される。これにより、上側ラベル３を捲って下側ラベル２から剥がして下側ラベル２における抽選結果表示２３により、くじを楽しむことができる。また、下側ラベル２と上側ラベル３とは、互いの一辺に沿った部分が弱粘着層３８よりも強い粘着力を有する強粘着層３９により接着されている。従って、上側ラベル３を下側ラベル２から剥がしても、強粘着層３９により上側ラベル３を下側ラベル２に粘着保持させて、上側ラベル３をゴミとして簡単に処分されるのを防止している。
【００１８】
なお、上側ラベル３の裏面の弱粘着層３８は、その粘着力が商品Ｓ等に貼り付けるための下側ラベル２の裏面の粘着層２１よりも弱くなっている。これにより、このくじ付きラベル１を商品Ｓ等に貼り付けた状態では、下側ラベル２を商品Ｓ側に残し、上側ラベル３だけを容易に剥がすことができる。従って、下側ラベル２上の抽選結果表示２３を容易に確認することができ、消費者のくじの楽しみを減退させることもない。
【００１９】
また、このくじ付きラベル１は、強粘着層３９を設けた一辺と対向する他辺の左右いずれかの端部におけるコーナー部が、上側ラベル３の弱粘着層３８を糊殺し等して上側ラベル３が下側ラベル２に非接着となった摘み部５（図１参照）を設けるようにしてもよい。これにより、摘み部５を摘んで上側ラベル３を下側ラベル２から難なく捲って剥がすことができ、下側ラベル２上の抽選結果表示２３の確認をさらに容易に行うことができる。
【００２０】
上側ラベル３における第２表示３４としては、図５に例示するように、複数枚組み合わせることにより一つのまとまった図柄や文字等の全体表示３７が構成されるパズルの１ピースに相当する前記図柄や文字等のパズル部分表示３５（図５（ａ）〜（ｆ）参照）か、或いは「おめでとう！」などの文字及び種々の図柄などを含む当たり補助表示３６（図５（ｇ）参照）により構成される。
【００２１】
パズル部分表示３５は、図５の例では、６つ用意されており（図５（ａ）〜（ｆ））、これら６つを所定の位置に配置することにより、「びっくり！！  ハズレだったのに  当たったよ！！」の文字と一連の図柄よりなる全体表示３７が構成されるパズルとなっている。そして、これらパズル部分表示３５が付された上側ラベル３は、抽選結果表示２３としてハズレ表示２４が印刷された下側ラベル２にのみ貼着される。一方、「おめでとう！」などの当たり補助表示３６が付された上側ラベル３は、抽選結果表示２３として当たり表示２５が印刷された下側ラベル２にのみ貼着される。
【００２２】
以上の構成を有するくじ付きラベル１によれば、上側ラベル３を下側ラベル２から剥がして下側ラベル２での抽選結果表示２３よりくじを楽しむことができる。そして、上側ラベル３は、その裏面にパズル部分表示３５が印刷されているので、それがパズルの１ピースとして機能する。従って、下側ラベル２の抽選を楽しんだ後も、上側ラベル３を複数枚集めて一つの図柄等を構成するパズルとして楽しむことができ、一枚のくじ付きラベル１で二度楽しむことができ、上側ラベル３が有効に活用される。
【００２３】
そして、パズル部分表示３５が付された上側ラベル３は、抽選結果表示２３としてハズレ表示２４が印刷された下側ラベル２にのみ貼着されているので、下側ラベル２でのくじにはずれても、上側ラベル３を集めてパズルを完成させる新しい楽しみを得ることができる。しかも、パズルが完成すれば、何らかの特典が得られるようにダブルチャンスが設けられていれば、くじの結果がはずれであっても上側ラベル３を集める意欲を増大させることができる。その結果、上側ラベル３によるパズルを完成させるためには、本くじ付きラベル１を付した商品Ｓを購入し続けなければならないため、新商品Ｓのキャンペーン等としてその販促効果の増大に寄与することができる。さらに、上側ラベル３がパズルの１ピースとして有効活用されるので、下側ラベル２から剥がし取った上側ラベル３がゴミとして処分されることもなく、ゴミの削減にもなる。
【００２４】
このように、くじ付きラベル１によれば、上側ラベル３を捲ったときの下側ラベル２の抽選結果がはずれの場合であっても、上側ラベル３を複数枚収集してパズルを完成させる楽しみが得られ、その結果、このくじ付きラベル１を貼り付けた商品Ｓの販促効果を増大させ、また、上側ラベル３を簡単にゴミとして処分されなくなるので、ゴミの削減にも寄与することができる。
【００２５】
なお、パズルの１ピースとなる上側ラベル３を容易に収集するために、図６に示すように、応募ハガキや引換券等となり且つパズルの完成絵柄等の全体表示３７のイメージを印刷した定型台紙６Ａを用意し、この定型台紙６Ａにおけるパズルの完成絵柄等の配置箇所に対して、上側ラベル３を順に貼り付けるようにしてもよい。
【００２６】
また、図７に示すように、一辺の強粘着部分で上側ラベル３を下側ラベル２に接着保持させたままとし、下側ラベル２の裏面の粘着層２１により、別に用意した台紙６Ｂに順に貼り付けるようにすることもでき、これによって、上側ラベル３を紛失する不都合もないし、ゴミの削減にもなる。
【００２７】
なお、第２ラベルの弱粘着層３８上には、部分的に糊殺しを形成して第２ラベルを更に剥がし易くしてもよい等、本考案の要旨を変更しない範囲で各種の変更を施すことが可能である。
【符号の説明】
【００２８】
Ｓ  商品
１  くじ付きラベル
２  下側ラベル
３  上側ラベル
４  剥離台紙
５  摘み部
６Ａ  定型台紙
６Ｂ  台紙
２０  下側用ラベル基材
２１  粘着層
２２  抽選結果印刷層
２３  抽選結果表示
２４  ハズレ表示
２５  当たり表示
３０  上側用ラベル基材
３１  ラベル印刷層
３２  ラベル表示
３３  第２表示用印刷層
３４  第２表示
３５  パズル部分表示
３６  当たり補助表示
３７  全体表示
３８  弱粘着層
３９  強粘着層
【図１】
0003160429.tif 000003
【図２】
0003160429.tif 000004
【図３】
0003160429.tif 000005
【図４】
0003160429.tif 000006
【図５】
0003160429.tif 000007
【図６】
0003160429.tif 000008
【図７】
0003160429.tif 000009